(57)【要約】  【課題】表皮材をクッション部材に吊り込んで止着させる際に、被係止体を係止させることが簡易であり、また、表皮材の縫合部のラインが湾曲線状であっても被係止体を確実に係止して、その係止状態を安定して維持することが可能なクリップ部材を提供する。  【解決手段】本発明のクリップ部材は、表皮材(11)をクッション部材(13)に吊り込んで止着するクリップ部材(1)であって、一方の部材に装着される被装着部(2)と、被係止体(15)を係止する係止空間部(5)と、被係止体(15)を係止空間部(5)に導入する導入路(6)とを備え、前記導入路(6)は、前記係止空間部(5)に連通する連通部(6a)と、端面に開口する開口部(6b)と、前記連通部(6a)と前記開口部(6b)を接続する導入空間部(6c)とを有してなり、前記導入路(6)は、前記係止空間部(5)の長さ方向に対してねじれた位置関係に配されていることに特徴を有するクリップ部材である。  【選択図】図１
2007275557.tif 000002
【特許請求の範囲】
【請求項１】
クッション部材(13)及びその表面を被覆する表皮材(11)のうちの一方の部材に装着され、他方の部材に取り付けられた被係止体(15)の一部を係止することによって、前記表皮材(11)を前記クッション部材(13)に吊り込んで止着するクリップ部材(1,21,31,61)であって、
同クリップ部材(1,21,31,61)は、前記一方の部材に装着される被装着部(2)と、前記被係止体(15)を係止する係止空間部(5)と、前記被係止体(15)を前記係止空間部(5)に導入する導入路(6,26,36,66)とを備え、
前記導入路(6,26,36,66)は、前記係止空間部(5)に連通する連通部(6a,26a,36a,66a)と、前記被装着部(2)とは反対側の端面に開口する開口部(6b,26b,36b,66b)と、前記連通部(6a,26a,36a,66a)と前記開口部(6b,26b,36b,66b)を接続する導入空間部(6c,26c,36c,66c)とを有してなり、
前記導入路(6,26,36,66)は、前記係止空間部(5)の長さ方向に対してねじれた位置関係に配されてなる、
ことを特徴とするクリップ部材。
【請求項２】
前記導入路(6,26,66)の導入空間部(6c,26c,66c)が、前記係止空間部(5)の長さ方向に対して０°よりも大きく９０°よりも小さい傾斜角度、又は、０°よりも小さく−９０°よりも大きい傾斜角度で直線状にねじれて形成されてなる請求項１記載のクリップ部材。
【請求項３】
前記クリップ部材(1,61)は、前記係止空間部(5)と導入路(6,66)とにより二股に分割された１対の脚部(7a,7b,67a,67b)が、前記係止空間部(5)の長さ方向の全体に渡って形成されてなる請求項２記載のクリップ部材。
【請求項４】
１対の前記脚部(67a,67b)は、同脚部(67a,67b)の拡幅方向への弾性変形を促すとともに、同脚部(67a,67b)の前記弾性変形を前記係止空間部(5)の長さ方向において略均等に生じさせる弾性変形促進構造を有してなる請求項３記載のクリップ部材。
【請求項５】
前記弾性変形促進構造は、前記脚部(67a,67b)の拡幅方向における肉厚を、前記脚部(67a,67b)が前記係止空間部(5)の長さ方向において略均等に拡幅方向に弾性変形可能なように設定することにより形成されてなる請求項４記載のクリップ部材。
【請求項６】
前記クリップ部材(21)は、前記係止空間部(5)と導入路(26)とにより二股に分割された１対の脚部(27a,27b)が、前記係止空間部(5)の長さ方向に直交する幅方向の肉厚が薄くなる方の端部側にそれぞれ切欠を有してなる請求項２記載のクリップ部材。
【請求項７】
前記導入路(36)の前記導入空間部(36c)が、
前記係止空間部(5)の長さ方向に１つ以上の屈曲部(32)を有しており、且つ、
前記係止空間部(5)の長さ方向に対して０°よりも大きく９０°よりも小さい傾斜角度で傾斜する直線状の部分と、０°よりも小さく−９０°よりも大きい傾斜角度で傾斜する直線状の部分とが前記屈曲部(32)を介して直列的に配されてジグザグ状に形成されてなる請求項１記載のクリップ部材。
【請求項８】
前記導入路(6,26,36,66)の前記導入空間部(6c,26c,36c,66c)の間隔が、前記被係止体(15)を導入する方向に漸減してなる請求項１記載のクリップ部材。
【請求項９】
前記導入路(6,26,36,66)の前記連通部(6a,26a,36a,66a)における間隔(9,69)が、前記係止空間部(5)におけるその長さ方向に直交する幅方向の最大の長さよりも小さく形成されてなる請求項１記載のクリップ部材。
【請求項１０】
請求項１〜９のいずれかに記載のクリップ部材(1,21,31,61)がクッション部材(13)、及びその表面を被覆する表皮材(11)のうちの一方の部材に装着され、前記被係止体(15)が他方の部材に装着されてなり、前記クリップ部材(1,21,31,61)の前記係止空間部(5)に前記被係止体(15)を係止することにより、前記表皮材(11)の一部を前記クッション部材(13)に吊り込んで止着するように構成されてなることを特徴とするクッション部材の表皮材吊込構造。
【請求項１１】
前記係止空間部(5)に対してねじれている前記導入路(6,26,36,66)の向きが平行である２つ以上の前記クリップ部材(1,21,31,61)が、１つずつ間隔を開けて装着されてなる請求項１０記載のクッション部材の表皮材吊込構造。
【請求項１２】
前記係止空間部(5)に対してねじれている前記導入路(6)の向きが互いに交差する方向となる２種類の前記クリップ部材(1)が、交互に２つ以上連接して装着されてなる請求項１０記載のクッション部材の表皮材吊込構造。
【発明の詳細な説明】
【技術分野】
【０００１】
本発明は、自動車などに設けられる車両用シートや家具用シート等において、クッション部材に表皮材を吊り込んで止着するクッション部材の表皮材吊込構造、及び、その吊込構造において用いられるクリップ部材に関する。
【背景技術】
【０００２】
一般に、自動車などに設けられる車両用シートは、シートクッション（座部）とシートバック（背当て部）とにより構成されている。これらのシートクッションやシートバックは、発泡性合成樹脂を所定形状に成形したクッション部材と、クッション部材の表面を被覆する表皮材とを備えており、表皮材は、以下のようにクッション部材に吊込んで止着することによって、クッション部材表面に取り付けられている。
【０００３】
例えばシートクッションを作製する場合は、先ず、発泡性合成樹脂を射出成形して、着座部表面に凹溝を有する所定形状のクッション部材を成形し、その得られたクッション部材の凹溝に吊込用の金属製ワイヤーを取り付ける。このとき、例えば合成樹脂の射出成形時に、予め金型の所定位置に金属製ワイヤーを装填しておき、同金型内に合成樹脂を射出して発泡成形することによって、着座部表面の凹溝内にワイヤーが一体的に取り付けられたクッション部材を得ることが可能である。
【０００４】
また、表皮材は、所定のサイズに裁断された複数枚の表皮片を縫製することにより、前記クッション部材を被覆可能なように所定形状に作製される。このとき、各表皮片同士の縫合部は、上記クッション部材の凹溝に対応する位置に形成される。そして、この縫製した表皮材の縫合部にクリップ部材を縫製や接着等によって装着した後、このクリップ部材を装着した縫合部を前記クッション部材の凹溝内に引き込み、同凹溝内のワイヤーの一部に表皮材のクリップ部材を引っ掛けて係止する。これにより、表皮材の縫合部がクッション部材の凹溝に吊り込まれて止着する。
【０００５】
更に、表皮材の端部にも例えばフック部材を装着し、同表皮材の端部をクッション部材の側面を包み込むようにして背面へ引き回し、クッション部材の背面に予め設けておいた引掛け部に表皮材のフック部材を引っ掛ける。これによって、クッション部材の表面に表皮材が吊込構造により取り付けられたシートクッションが得られる。
【０００６】
上記のようなクッション部材に表皮材を取り付ける吊込構造の例が、例えば実開平５−３１６９９号公報（特許文献１）、実開平７−１６６５９号公報（特許文献２）、及び特開２００４−８４８８号公報（特許文献３）に記載されている。
【０００７】
例えば前記特許文献１に記載されている吊込構造は、表皮材同士の縫合部に取り付けるクリップ部材（特許文献１では、トリムセット片と記載）の形状に特徴を有している。このクリップ部材は、その上部に平板状の支持小片が設けられている。また、支持小片の下部で分岐した一側には断面形状釣針状の係止片が形成されており、この係止片の背部には係止溝が形成されている。更に、支持小片の下部で分岐した他側には、前記係止片の釣針状の先端部に当接し、この当接部より下部において係止片の先端部との間で下開きの溝が形成される小側板が設けられている。
【０００８】
このような構成を有するクリップ部材を用いてクッション部材の表面に表皮材を被覆固定する場合、前記クリップ部材の支持小片を縫製により表皮材の縫合部に取り付けておき、同クリップ部材の小側板と係止片とで形成される下開きの溝の部分を、クッション部材の凹溝内に配したワイヤーに押し当てる。次に、ドライバ等の道具を用いて、その道具の先端を係止片と背部小片との接合部分に形成する係止溝に差し込んでクリップ部材をワイヤーに向けて下方に押す。これにより、ワイヤーによって小側板と係止片とが押し広げられるため、ワイヤーが両者間を摺り抜けて、クリップ部材の小側板と係止片とにより形成されるリング内に収容されて係止される。このように表皮材に取り付けたクリップ部材にワイヤーを係止することにより、表皮材がクッション部材に止着されて、クッション部材表面が表皮材によって被覆される。
【０００９】
また、前記特許文献２に記載されている吊込構造では、表皮材の縫合部に取り付けられる係止部材として、本体部の左右両側部に係止爪が斜め上向きに形成されて、横断面形状が矢尻状に構成された係止部材を用いている。一方、クッション部材には、その表面に形成された凹溝内に２本のワイヤーが所定間隔で離間して平行に配されている。従って、この特許文献２において表皮材をクッション部材表面に被覆させる際には、表皮材に取り付けた係止部材の矢尻状先端部をクッション部材に配した２本のワイヤー間に挿入し、係止部材の左右係止爪をそれぞれワイヤーに引っ掛けることによって、表皮材をクッション部材に止着させている。
【００１０】
更に、前記特許文献３に記載されている吊込構造では、表皮材に取り付けるクリップ部材が帯状のベース部と、同ベース部に所定間隔毎に設けられたワイヤーを係止するフック部とを有しており、前記フック部は、ベース部の長手方向に開口部が形成された筒状体と、筒状体の開口部の両側に外側に向けて突設された２つのガイド片とを備えている。これにより、表皮材をクッション部材表面に被覆させる際には、クッション部材の凹溝内に配したワイヤーが、クリップ部材のガイド片間に案内され、更に、両ガイド片を押し広げながら開口部から筒状体内に嵌入される。これにより、クッション部材のワイヤーがクリップ部材のフック部に係止されて、クッション部材に表皮材を止着させている。
【特許文献１】実開平５−３１６９９号公報
【特許文献２】実開平７−１６６５９号公報
【特許文献３】特開２００４−８４８８号公報
【発明の開示】
【発明が解決しようとする課題】
【００１１】
一般に、自動車等では顧客の購買意欲を高めるために、その性能やデザインに様々な特徴を持たせている。その中で、近年では、自動車の車両用シート等に意匠性を持たせることや、またシートの座り心地を改善すること等が行われてきている。このため、車両用シートのシートクッションやシートバックに対しては、シート表面に表われる表皮材の縫合部のラインを直線状又は湾曲線状に設計することや、また、クッション部材の表面形状を変更すること等の様々な改良が行われている。またその一方で、例えばクッション部材への表皮材の取付作業を簡便化して、取付作業性の向上によるシートのコストダウンを図ること等も求められている。
【００１２】
しかし、例えば前記特許文献１に記載されている吊込構造では、表皮材のクリップ部材にクッション部材のワイヤーを係止させる際に、作業者が１つ１つのクリップ部材をドライバ等の道具を用いてワイヤーに押し込むといった作業工程が必要となる。このため、表皮材の取付作業が煩雑で面倒となることから取付作業性の低下を招き、その結果、コストダウンが図れず、また作業者への負担も大きくなるという問題があった。
【００１３】
前記特許文献２に記載されている吊込構造では、前述のように、断面が矢尻状を呈するクリップ部材をクッション部材の凹溝内に配した２本のワイヤー間に挿入して係止させている。このため、クリップ部材を２本のワイヤー間に押し込む際にクリップ部材の係止爪を大きく弾性変形させることが必要となる。
【００１４】
このとき、クリップ部材の係止爪が太い場合は、作業者がクリップ部材を弾性変形させるために相当の力を要するため、取付作業性の低下を招いてしまう。一方、係止爪が細い場合は、係止爪が折損し易く、表皮材の安定した取り付けを確保できないという問題があった。更に、例えば表皮材の縫合部のラインを湾曲線状にした場合、クッション部材に配した２本のワイヤー間の間隔が開いて、クリップ部材の係止が外れ易いという欠点もあった。
【００１５】
一方、前記特許文献３に記載されている吊込構造では、表皮材のクリップ部材にクッション部材のワイヤーを係止させる作業が比較的容易であるため、作業性の向上を図ることが可能である。しかし、例えば表皮材の縫合部のラインを湾曲線状に設計した場合、クリップ部材のフック部の筒状体にクッション部材のワイヤーを嵌入しても、縫合部に沿って配されるワイヤーが湾曲しているために、フック部が弾性変形して筒状体の開口部が若干開いた状態となる。
【００１６】
このため、例えば、クリップ部材を１つずつワイヤーに止着させるときや、また、表皮材の縫合部をクッション部材のワイヤーに止着した後、表皮材をクッション部材の側面を包み込むようにして背面へ引き回すときに、表皮材に引張り応力がかかってクリップ部材が上方に引張られるため、筒状体によるワイヤーの係止が外れ易いという不具合があった。
【００１７】
本発明は上記従来の課題に鑑みてなされたものであって、その具体的な目的は、表皮材をクッション部材に吊り込んで止着させる際に、ワイヤー等の被係止体を係止させることが簡易であり、また、表皮材の縫合部のラインが直線状又は湾曲線状であっても被係止体を確実に係止して、その係止状態を安定して維持することが可能なクリップ部材を提供すること、更に、同クリップ部材が装着されて構成されたクッション部材の表皮材吊込構造を提供することにある。
【課題を解決するための手段】
【００１８】
上記目的を達成するために、本発明により提供されるクリップ部材は、基本的な構成として、クッション部材及びその表面を被覆する表皮材のうちの一方の部材に装着され、他方の部材に取り付けられた被係止体の一部を係止することによって、前記表皮材を前記クッション部材に吊り込んで止着するクリップ部材であって、同クリップ部材は、前記一方の部材に装着される被装着部と、前記被係止体を係止する係止空間部と、前記被係止体を前記係止空間部に導入する導入路とを備え、前記導入路は、前記係止空間部に連通する連通部と、前記被装着部とは反対側の端面に開口する開口部と、前記連通部と前記開口部を接続する導入空間部とを有してなり、前記導入路は、前記係止空間部の長さ方向に対してねじれた位置関係に配されていることを最も主要な特徴とするものである。
【００１９】
本発明に係るクリップ部材においては、前記導入路の導入空間部が、前記係止空間部の長さ方向に対して０°よりも大きく９０°よりも小さい傾斜角度、又は、０°よりも小さく−９０°よりも大きい傾斜角度で直線状にねじれて形成されていることが好ましい。
【００２０】
本発明において、前記クリップ部材は、前記係止空間部と導入路とにより二股に分割された１対の脚部が、前記係止空間部の長さ方向の全体に渡って形成されていることが好ましい。
【００２１】
この場合、１対の前記脚部は、同脚部の拡幅方向への弾性変形を促すとともに、同脚部の前記弾性変形を前記係止空間部の長さ方向において略均等に生じさせる弾性変形促進構造を有していることが好ましく、更に、前記弾性変形促進構造は、前記脚部の拡幅方向における肉厚を、前記脚部が前記係止空間部の長さ方向において略均等に拡幅方向に弾性変形可能なように設定することにより形成されていることが好ましい。
【００２２】
また、本発明のクリップ部材は、前記係止空間部と導入路とにより二股に分割された１対の脚部が、前記係止空間部の長さ方向に直交する幅方向の肉厚が薄い方の端部側にそれぞれ切欠を有していても良い。
【００２３】
本発明に係るクリップ部材においては、前記導入路の前記導入空間部が、前記係止空間部の長さ方向に１つ以上の屈曲部を有しており、且つ、前記係止空間部の長さ方向に対して０°よりも大きく９０°よりも小さい傾斜角度で傾斜する直線状の部分と、０°よりも小さく−９０°よりも大きい傾斜角度で傾斜する直線状の部分とが前記屈曲部を介して直列的に配されてジグザグ状に形成されていることが好ましい。
【００２４】
更に、前記導入路の前記導入空間部の間隔が、前記被係止体を導入する方向に漸減していることが好ましい。更にまた、前記導入路の前記連通部における間隔が、前記係止空間部におけるその長さ方向に直交する幅方向の最大の長さよりも小さいことが好ましい。
【００２５】
本発明により提供されるクッション部材の表皮材吊込構造は、基本的な構成として、前記構成を有するクリップ部材がクッション部材、及びその表面を被覆する表皮材のうちの一方の部材に装着され、前記被係止体が他方の部材に装着されてなり、前記クリップ部材の前記係止空間部に前記被係止体を係止することにより、前記表皮材の一部を前記クッション部材に吊り込んで止着するように構成されていることを主要な特徴とするものである。
【００２６】
また、本発明の吊込構造では、前記係止空間部に対してねじれている前記導入路の向きが平行である２つ以上の前記クリップ部材が、１つずつ間隔を開けて装着されていても良く、又は、前記係止空間部に対してねじれている前記導入路の向きが互いに交差する方向となる２種類の前記クリップ部材が、交互に２つ以上連接して装着されていても良い。
【発明の効果】
【００２７】
本発明に係るクリップ部材は、被装着部と、係止空間部と、導入路とを備えており、前記導入路は、係止空間部に連通する連通部と、被装着部とは反対側の端面に開口する開口部と、連通部と開口部を接続する導入空間部とを有している。また、この導入路（導入空間部）は、係止空間部の長さ方向に対してねじれた位置関係に配されている。
【００２８】
このため、表皮材をクッション部材に吊り込んで止着させる際には、クリップ部材の導入路の向きを被係止体に対して平行にした状態で、同クリップ部材を被係止体に向けて案内することにより、被係止体をクリップ部材の導入路に挿し込むことができる。
【００２９】
その後、クリップ部材を被係止体に向けて押し込むことにより、導入空間部と係止空間部がねじれて配されているので、クリップ部材の係止空間部と被係止体とが平行となるようにクリップ部材を回動させながら、被係止体を導入路から係止空間部へ円滑に導入する。これにより、被係止体を係止空間部で容易に係止することができる。従って、本発明のクリップ部材は、例えば前記特許文献１のようにドライバ等の道具を必要とせずに、被係止体の一部を簡易に係止することができ、表皮材のクッション部材への取付作業性が非常に優れている。
【００３０】
また、本発明のクリップ部材は、係止空間部に被係止体を係止させたときに、被係止体が導入路に対してねじれた状態となり、被係止体を確実に係止することができる。またこの場合、表皮材の縫合部のラインが直線状又は湾曲線状であっても、導入路が係止空間部の長さ方向に対してねじれているため、係止空間部に導入した被係止体が係止空間部から外れ難く、その係止状態を安定して維持することができる。
【００３１】
本発明において、前記導入路の導入空間部は、前記係止空間部の長さ方向に対して０°よりも大きく９０°よりも小さい傾斜角度、又は、０°よりも小さく−９０°よりも大きい傾斜角度で直線状にねじれて形成されている。これにより、クリップ部材の係止空間部に被係止体を導入したときに、被係止体の係止が確実となり、また、その係止状態を非常に安定させることができる。
【００３２】
このとき、前記クリップ部材は、係止空間部と導入路とにより二股に分割された１対の脚部が、係止空間部の長さ方向の全体に渡って形成されていることにより、係止空間部と被係止体との接触する面積が大きくなるため、被係止体をより安定して係止することができ、また、係止空間部から被係止体がより外れ難くなる。
【００３３】
また、本発明における１対の脚部は、その脚部の拡幅方向への弾性変形を促すとともに、その弾性変形を係止空間部の長さ方向において略均等に生じさせる弾性変形促進構造を有している。これにより、被係止体をクリップ部材の導入路から係止空間部へ導入する際に、脚部が拡幅方向へ容易に弾性変形する。このため、クリップ部材を被係止体に向けて押し込むときに求められる押込力を軽減することができ、被係止体の係止空間部への導入を簡易に、且つより円滑に行うことができる。
【００３４】
特にこの場合、例えば１対の脚部の外側面に凹部を設けること等によって、前記脚部の拡幅方向における肉厚を、前記脚部が前記係止空間部の長さ方向において略均等に拡幅方向に弾性変形可能なように設定することができ、これにより、クリップ部材に前記弾性変形促進構造を容易に形成することができる。
【００３５】
一方、前記クリップ部材は、係止空間部と導入路とにより二股に分割された１対の脚部が、係止空間部の長さ方向に直交する幅方向の肉厚が薄い方の端部側にそれぞれ切欠を有していることにより、導入路への被係止体の挿し込み、及び、導入路から係止空間部への被係止体の導入をより容易に行うことができ、表皮材のクッション部材への取付作業性を更に向上させることができる。
【００３６】
また、本発明においては、前記導入路の導入空間部が、係止空間部の長さ方向に１つ以上の屈曲部を有しており、且つ、係止空間部の長さ方向に対して０°よりも大きく９０°よりも小さい傾斜角度で傾斜する直線状の部分と、０°よりも小さく−９０°よりも大きい傾斜角度で傾斜する直線状の部分とが屈曲部を介して直列的に配されてジグザグ状に形成されていても良い。このように導入路の導入空間部が係止空間部に対してジグザグ状に形成されていることにより、係止空間部に被係止体を導入したときに、係止空間部での被係止体の係止がより安定するため、その係止状態を非常に安定して維持することができる。
【００３７】
更に、本発明のクリップ部材では、導入路の導入空間部の間隔が、前記被係止体を導入する方向に漸減している。これにより、導入路の開口部の間隔が、導入路の係止空間部に連通する連通部よりも広くなるため、被係止体をクリップ部材の導入路に挿し込みやすくなり、取付作業性が更に向上する。
更にまた、前記導入路の連通部における間隔が、前記係止空間部におけるその長さ方向に直交する幅方向の最大の長さよりも小さいことにより、係止空間部内に導入された被係止体の係止が更に確実になり、被係止体の係止空間部からの脱離を防止することができる。
【００３８】
次に、本発明に係るクッション部材の表皮材吊込構造は、前記構成を有する本発明のクリップ部材が装着され、同クリップ部材の係止空間部に被係止体を係止することにより、表皮材の一部をクッション部材に吊り込んで止着可能に構成されている。このような吊込構造であれば、表皮材をクッション部材に吊り込んで止着させる際に、クリップ部材に被係止体を簡易に且つ確実に係止させることができ、また、その係止状態を安定して維持することができる。従って、表皮材のクッション部材への取付作業性が向上するとともに、表皮材の位置ズレ等を防いで、シートの外観品質を安定して維持することができる。
【００３９】
また、本発明の吊込構造では、前記係止空間部に対してねじれている導入路の向きが平行である２つ以上のクリップ部材が、１つずつ間隔を開けて装着されている。これにより、表皮材の縫合部のラインに沿って表皮材をクッション部材に容易に止着することができる。また、表皮材をクッション部材に止着した後は、クリップ部材から被係止体が外れ難く、表皮材の取付状態が安定して維持される。
【００４０】
更に、本発明の吊込構造では、前記係止空間部に対してねじれている導入路の向きが互いに交差する方向となる２種類のクリップ部材が、交互に２つ以上連接して装着されていても良い。これにより、表皮材をクッション部材に止着させた後は、被係止体がクリップ部材から一層外れ難くなるため、シートの外観品質をより安定して維持することができる。
【発明を実施するための最良の形態】
【００４１】
以下、本発明を実施するための最良の形態について、実施例に基づき図面を参照しながら詳細に説明する。なお、本発明は、以下で説明する実施例に何ら限定されるものではなく、本発明と実質的に同一な構成を有し、かつ、同様な作用効果を奏しさえすれば、多様な変更が可能である。
【００４２】
例えば、以下の各実施例では、クリップ部材を表皮材側に装着し、被係止体であるワイヤーをクッション部材の凹溝内に取り付けることによって吊込構造が構成されている。しかし、本発明はこれに限定されず、例えばクリップ部材をクッション部材の凹溝内に装着し、ワイヤーを表皮材側に取り付けて吊込構造を構成することも可能である。
【００４３】
また、各実施例におけるクリップ部材及び吊込構造は、車両用シートのシートクッションにおいて、クッション部材の表面に表皮材を被覆して止着する場合について説明している。しかし、本発明のクリップ部材及び吊込構造はこれに限定されず、車両用シートのシートバックや家具用シート等に用いられる吊込構造にも同様に適用することができる。
【実施例１】
【００４４】
図１〜図４は、本発明の実施例１に係るクリップ部材を示している。ここで、図１は、実施例１のクリップ部材を斜め上方から見た斜視図であり、図２は、同クリップ部材の一方の脚部の記載を省いて、導入路及び係止空間部の内側面部分を解り易く示した模式図である。また、図３は、同クリップ部材の正面図であり、図４は、同クリップ部材の底面図である。
【００４５】
なお、以下の各実施例では、表皮材が取り付けられる側をクリップ部材の上方とし、被係止体の導入口側を下方として説明を行う。また、図１に示したように、クリップ部材においては、その上下方向を高さ方向とし、表皮材の縫合部に沿った方向を長さ方向とし、更に、この高さ方向と長さ方向に直交する方向を幅方向として説明を行う。
【００４６】
本実施例１に係るクリップ部材１は、直方体状の外形を有しており、合成樹脂を射出成形することにより作製することができる。クリップ部材１の材質としては、ポリプロピレン、ポリアミド、ポリアセタール、ポリオキシメチレン、ポリエチレン、ポリエステル、ポリフェニレンスルフィド、ポリエーテルケトン、ポリエーテルエステル、ポリエーテルサルフォン等の合成樹脂を用いることができるが、その中でも、成形性、強度、リサイクル性等を考慮した場合、ポリプロピレン、ポリアミド、ポリアセタールを用いることが好ましい。
【００４７】
前記クリップ部材１は、表皮材１１に装着される被装着部２が上方に設けられている。この被装着部２は、以下で説明するリテイナー１８が挿入されるリテイナー挿入部３と、クリップ部材１の上面に形成された上部開口部４とを長さ方向に沿って有している。リテイナー挿入部３は、その断面がリテイナー１８の断面形状に合わせて略楕円形状に形成されている。
【００４８】
また、被装着部２の下方には、同被装着部２と平行で、且つ直線状に貫通している係止空間部５と、導入路６とが設けられている。この導入路６は、係止空間部５に連通する連通部６ａと、クリップ部材１の底面に開口する開口部６ｂを有しており、この連通部６ａと開口部６ｂが導入空間部６ｃで接続されて構成されている。更に、クリップ部材１には、係止空間部５と導入路６とによって二股に分割された１対の脚部７ａ，７ｂが、係止空間部５の長さ方向の全体に渡って形成されている。
【００４９】
前記係止空間部５は、後述するクッション部材１３の凹溝１４に取り付けた線条のワイヤー１５を係止するために、その断面がワイヤー１５の断面形状に合わせて形成されている。すなわち、本実施例１では、係止空間部５の断面が略円形状に形成されている。なおこの場合、導入路６から係止空間部５にワイヤー１５を円滑に導入するために、係止空間部５の長さ方向の前後端部側の側方部分に、導入路６の連通部６ａとしての空間が設けられている。このため、クリップ部材１の正面及び背面では、図３に示したように、脚部７ａ，７ｂの股部分が略楕円形状に形成されている。
【００５０】
前記導入路６は、図４に示したように、底面側から見たときに係止空間部５に対して所定の傾斜角度θで直線状にねじれた位置関係に配されている。このとき、傾斜角度θは、０°よりも大きく９０°よりも小さい範囲、又は、０°よりも小さく−９０°よりも大きい範囲で任意に設定することができるが、ワイヤーの取付作業性やワイヤーの係止状態の安定性等を考慮すると、傾斜角度θを、５°≦θ≦４５°又は−５°≦θ≦−４５°の範囲で設定することが特に好ましく、本実施例１では、傾斜角度θが１０°に設定されている。このように導入路６がねじれた位置関係に配されていることにより、導入路６を形成する脚部７ａ，７ｂの一端が厚肉５１に、他端が薄肉５２に形成される。これにより、例えば図２に示すように、脚部７ａ，７ｂのそれぞれは、厚肉５１の端縁側に近づく程、係止空間部５に係止したワイヤー１５の側面との接触領域５３が大きくなる。
【００５１】
また、１対の脚部７ａ，７ｂにおいて相対している導入空間部６ｃ側の面８（内側面）は、導入路６の連通部６ａから開口部６ｂに向けて、脚部７ａ，７ｂの肉厚が漸次薄くなるようなテーパ面に形成されている。すなわち、１対の脚部７ａ，７ｂ間に形成される導入路６の間隔は、ワイヤー１５の導入方向に向けて漸減している。
【００５２】
更に、本実施例１において、導入路６の連通部６ａにおける間隔９は、係止空間部５の幅方向における最大の大きさ（即ち、ワイヤー１５の直径）よりも若干小さく形成されている。一方、導入路６の開口部６ｂにおける間隔１０はワイヤー１５の直径よりも大きく形成されている。これにより、クリップ部材１は、ワイヤー１５を導入路６の開口部６ｂから導入空間部６ｃに挿入し易く、また、ワイヤー１５を導入路６の導入空間部６ｃから連通部６ａを介して係止空間部５に導入して係止した後は、ワイヤー１５が係止空間部５から外れ難くなるように構成されている。
【００５３】
次に、上述のようなクリップ部材１を表皮材１１の縫合部１２に取り付けて構成されるクッション部材の表皮材吊込構造について説明する。なお、本実施例１では、クリップ部材１が取り付けられる表皮材１１の縫合部１２と、同表皮材１１が被覆するクッション部１３の凹溝１４及びその凹溝１４内に配されるワイヤー１５とが、同様の湾曲線状に形成されている場合（図５を参照）について説明する。
【００５４】
前記クリップ部材１は、例えば表皮材１１の縫合部１２に直接装着することもできるが、本実施例１の吊込構造では、図６に示したように、不織布テープ１７の一側端縁にリテイナー１８が設けられた装着テープ１６に、同じ傾斜角度θを有する複数のクリップ部材１が１つずつ間隔を開けて取り付けられており、更に、このクリップ部材１付きの装着テープ１６が不織布テープ１７の部分で表皮材１１の縫合部１２と縫着、接着、又は溶着によって取り付けられている（図７及び図８を参照）。これにより、表皮材１１の縫合部１２が湾曲線状に形成されていても、同縫合部１２に複数のクリップ部材１を安定して装着することができる。
【００５５】
なお、本発明において、クリップ部材１の装着数や、各クリップ部材１間の間隔等は、表皮材１１及びクッション部材１３の形状やサイズ等に応じて任意に設定することができる。また、前記装着テープ１６の不織布テープ１７としては、従来一般的に用いられている不織布テープを使用することができ、必要に応じてパンチング等の処理を施すことができる。更に、装着テープ１６のリテイナー１８は、例えば塩化ビニル樹脂を不織布テープ１７に直接射出成形することによって形成されている。
【００５６】
一方、クッション部材１３の材質としては、主に発泡性合成樹脂を使用することができ、具体的には、ポリウレタン発泡体、ポリエチレン発泡体、ポリプロピレン発泡体等を使用することができる。またその他に、例えば天然繊維又は合成繊維を接着性を有するエラストマー等を用いて所定の形状に賦形することによって、クッション部材を構成することも可能である。
【００５７】
また、本実施例１において、各クリップ部材１の装着テープ１６への取り付けは、装着テープ１６の前端又は後端で、クリップ部材１のリテイナー挿入部３内にリテイナー１８を挿入するとともに上部開口部４に不織布テープ１７を挿入し、その後、同クリップ部材１をリテイナー１８に沿って所定の位置までスライドさせることによって行われる。
【００５８】
なお、クリップ部材１の装着テープ１６への取り付け方法はこれに限定されるものではない。例えば、不織布テープ１７及びリテイナー１８を挟み込むようにして、合成樹脂を装着テープ１６にクリップ部材１の形状となるように直接射出成形することにより、装着テープ１６にクリップ部材１を成形一体化して取り付けることも可能である。また、クリップ部材１付きの装着テープ１６を表皮材１１の縫合部１２に取り付ける方法についても特に限定されず、種々の方法を用いて取り付けを行うことが可能である。
【００５９】
上述のようにして複数のクリップ部材１を表皮材１１の縫合部１２に装着した後、図７に示したように、クッション部材１３の表面に表皮材１１を被せながら、クリップ部材１を１つずつ、クッション部材１３の凹溝１４内に配したワイヤー１５に向けて案内し、ワイヤー１５の一部をクリップ部材１の導入路６に挿し入れる。
【００６０】
このとき、ワイヤー１５とクリップ部材１とをそれぞれ保持して、クリップ部材１をワイヤー１５の軸線に対して傾斜角度θ分だけ傾けた（回動させた）状態でワイヤー１５に向けて案内する。これにより、ワイヤー１５の軸線とクリップ部材１の導入路６とを略平行にした状態で、ワイヤー１５の一部を導入路６の開口部６ｂから導入空間部６ｃ内に円滑に挿し入れることができる。
【００６１】
その後、クリップ部材１を更にワイヤー１５に向けて押し込むことにより、導入路６と係止空間部５がねじれて配されているので、この導入路６と係止空間部５とのねじれに対応させてクリップ部材１を回動させながら、ワイヤー１５を導入路６の導入空間部６ｃから連通部６ａを介して係止空間部５に導入する。これにより、係止空間部５でワイヤー１５を容易に係止することができる。
【００６２】
なお、本実施例１では、前述のように、導入路６の連通部６ａにおける間隔９がワイヤー１５の直径よりも小さく形成されているが、ワイヤー１５をクリップ部材１の係止空間部５へ導入する際に、クリップ部材１の両脚部７ａ，７ｂがワイヤー１５に押されることにより弾性変形し、連通部６ａにおける間隔９が僅かに開くため、ワイヤー１５を係止空間部５に容易に導入することができる。
【００６３】
そして、上記のような作業を縫合部１２に装着した各クリップ部材１に対して順番に行うことにより、図８及び図９に示したように、表皮材１１のクリップ部材１が装着されている部位で、表皮材１１をクッション部材に吊り込んで容易に止着することができる。
【００６４】
以上のように、本実施例１の吊込構造によれば、ドライバ等の道具を用いなくても、クリップ部材１を所定角度で傾けた状態でワイヤー１５に案内して押し込むことにより、クリップ部材１の係止空間部５にワイヤー１５を係止させて表皮材１１をクッション部材１３に簡易に取り付けることができる。従って、本実施例１の吊込構造は、表皮材１１のクッション部材１３への取付作業性に非常に優れており、作業者の負担軽減を図ることができる。
【００６５】
また、クリップ部材１の係止空間部５は、表皮材１１の縫合部１２に対して略平行であり、且つ、クリップ部材１の導入路６に対して傾斜して配設されている。従って、ワイヤー１５をクリップ部材１の係止空間部５に導入することにより、ワイヤー１５を表皮材１１の縫合部１２に沿わせて係止空間部５で確実に係止することができる。
【００６６】
更に、本実施例１では、前述のように、導入路６の連通部６ａにおける間隔９がワイヤー１５の直径よりも小さく形成されており、且つ、ワイヤー１５の側面を支持している各脚部７ａ，７ｂの長さ方向の端縁部が厚肉に形成されている。このため、ワイヤー１５がクリップ部材１の係止空間部５に一旦係止されると、例えば図３から理解できるように、クリップ部材１における脚部７ａの厚肉の端縁部と脚部７ｂの厚肉の端縁部との幅方向における間隔が、クリップ部材１の弾性変形によって係止空間部５の直径（即ち、ワイヤー１５の直径）の大きさ以上に開かなければ、ワイヤー１５の係止が外れることはない。
【００６７】
即ち、本実施例１の吊込構造は、クリップ部材１の係止空間部５にワイヤー１５を係止しているときに、例えばクッション部材１３にワイヤー１５が湾曲線状に配されているために、クリップ部材１が弾性変形して脚部７ａ，７ｂ間の間隔が僅かに開いたとしても、このワイヤー１５の湾曲によるクリップ部材１の弾性変形のみでは、係止空間部５におけるワイヤー１５の係止が外れることはなく、ワイヤー１５の係止状態を安定して維持することができる。
【００６８】
従って、例えば前記特許文献３等のような従来の吊込構造では、前述したように、クリップ部材にワイヤーを係止させても、ワイヤーが湾曲線状に配されている場合等では、クリップ部材が弾性変形してその開口部が若干開いた状態となるため、ワイヤーの係止が外れ易い等の不具合が生じていた。しかし、本実施例１の吊込構造であれば、このような不具合を解消することができる。このため、クッション部材１３に表皮材１１を被覆した後、例えばクリップ部材１の係止が外れて表皮材１１に位置ズレ等が生じることを防ぐことができ、シートの外観品質を安定して維持することができる。
【００６９】
なお、本実施例１では、クリップ部材１に係止させる被係止体がワイヤー１５である場合を説明したが、本発明はこれに限定されず、例えば図１０に示したように、被係止体としてワイヤー１５の代わりに、断面が逆Ｔ字状の合成樹脂製レール部材１９をクッション部材１３の凹溝１４内に配することも可能である。これにより、例えばクリップ部材１にレール部材１９の一部を係止したときに、レール部材１９を係止した各クリップ部材１の位置が非常に安定する。このため、例えば表皮材１１に引張り応力がかかっても、シートの外観品質を長期に渡って安定して維持することが可能となる。
【００７０】
また、本実施例１のクリップ部材１は、前述のように直方体状に形成されているが、本発明はこれに限定されず、例えば図１１に示したクリップ部材１’を用いることも可能である。この図１１に示したクリップ部材１’は、例えば外形が直方体状であり、係止空間部５と導入路６との位置関係が平行であったクリップ部材において、導入部６が形成されている部分を所定の傾斜角度θでねじることによって得られるような形状に作製されており、一対の脚部７ａ，７ｂがその長さ方向に渡って均一な肉厚で形成されている。このようなクリップ部材１’であっても、導入路６が係止空間部５の長さ方向に対してねじれた位置関係に配されているため、上記の実施例１のクリップ部材１と同様の効果を得ることができる。
【実施例２】
【００７１】
次に、本発明の実施例２に係るクリップ部材について、図１２〜図１５を参照しながら説明する。ここで、図１２は、実施例２のクリップ部材を斜め上方から見た斜視図であり、図１３は、同クリップ部材を斜め下方から見た斜視図である。また、図１４は、同クリップ部材の正面図であり、図１５は、同クリップ部材の底面図である。なお、以下に示す実施例２〜実施例５の説明、及びそれらの参照図面において、前記実施例１で説明した部材と同様の構成を有する部材については同じ符号を用いて表しており、それによって、その部材の説明を省略することとする。
【００７２】
本実施例２に係るクリップ部材２１は、リテイナー挿入部３と上部開口部４とを長さ方向に沿って有する被装着部２が上方に設けられている。また、被装着部２の下方には、同被装着部２と平行で直線状に貫通している係止空間部５と、導入路２６とが設けられている。この導入路２６は、係止空間部５に連通する連通部２６ａと、クリップ部材の底面に開口する開口部２６ｂを有しており、この連通部２６ａと開口部２６ｂが導入空間部２６ｃで接続されて構成されている。
【００７３】
本実施例２のクリップ部材２１では、係止空間部５と導入路２６とによって二股に分割された１対の脚部２７ａ，２７ｂが形成されている。更に、この１対の脚部２７ａ，２７ｂは、幅方向の肉厚が薄い方の端縁部側から所定の長さ範囲でそれぞれ切欠を有している。このため、脚部２７ａ，２７ｂが、クリップ部材２１の長さ方向全体に渡って形成されているのではなく、クリップ部材２１の厚肉の端縁部側から長さ方向に所定の長さで形成されている。なお、本実施例２において、上記以外の構成については、前記実施例１と実質的に同様である。
【００７４】
このような本実施例２のクリップ部材２１を、前記実施例１と同様に、装着テープ１６を介して表皮材１１の縫合部１２に間隔を開けて複数個装着し、各クリップ部材２１にクッション部材１３の凹溝１４内に配したワイヤー１５を係止することによって、クッション部材の表皮材吊込構造を構成することができる。
【００７５】
本実施例２のクリップ部材２１を用いて構成された吊込構造によれば、ドライバ等の道具を用いなくても、クリップ部材２１をワイヤー１５に対して傾けた状態で案内して押し込むことにより、クリップ部材２１にワイヤー１５を係止させて、表皮材をクッション部材に容易に吊り込んで止着することができる。
【００７６】
特に、本実施例２のクリップ部材２１は、前記実施例１のクリップ部材１に比べて、脚部２７ａ，２７ｂがそれぞれ切欠を有して長さ方向に短くなっており、導入路２６の実質的な空間が広くなっている。このため、ワイヤー１５をクリップ部材２１の係止空間部５内に容易に導入することができ、ワイヤー１５の係止を非常に簡易に行うことができる。従って、例えばクリップ部材２１は表皮材裏面の縫合部１２に装着されているために、クリップ部材２１にワイヤー１５を係止させる作業を目視できない状況で行う場合でも、ワイヤー１５の係止を短時間で確実に行うことができ、作業者の大幅な負担軽減を図ることが可能となる。
【００７７】
また、本実施例２では、前記実施例１と同様に、ワイヤー１５がクリップ部材２１の係止空間部５に一旦係止されると、例えば図１４から理解できるように、クリップ部材２１における脚部２７ａの厚肉の端縁部と脚部２７ｂの厚肉の端縁部との幅方向における間隔が、クリップ部材２１の弾性変形によって係止空間部５の直径の大きさ以上に開かなければ、ワイヤー１５の係止は外れ難い。
【００７８】
このため、本実施例２の吊込構造は、クリップ部材２１の係止空間部５にワイヤー１５が一旦係止されると、ワイヤー１５が湾曲線状に配されていることにより、クリップ部材２１が弾性変形したとしても、それのみでは係止空間部５におけるワイヤー１５の係止が外れることはなく、ワイヤー１５の係止状態を安定して維持することができる。
【００７９】
なお、クリップ部材２１は、前述のように装着テープ６のリテイナー１８に装着されているため、ワイヤー１５を係止している状態のクリップ部材２１自体は、ワイヤー１５の軸線に対して傾きに難い。従って、脚部２７ａ，２７ｂが切欠を有していることにより、クリップ部材２１の長さ方向の全体に渡って脚部２７ａ，２７ｂが形成されていなくても、ワイヤー１５の係止状態を安定して維持することができる。
【００８０】
但し、本実施例２のクリップ部材２１は、脚部２７ａ，２７ｂが長さ方向に短くなっているため、例えばクッション部材が強い衝撃等を受けてワイヤー１５が緩んだ場合等では、前記実施例１のクリップ部材１に比べて、ワイヤー１５が係止空間部５の位置からずれて係止空間部５によるワイヤー１５の係止が外れ易くなる可能性もあることから、脚部２７ａと脚部２７ｂの端縁部間の寸法、脚部２７ａ及び脚部２７ｂの長さ、導入路２６の連通部２６ａにおける間隔等は、使用条件により適切に設定する必要がある。
【実施例３】
【００８１】
本発明の実施例３に係るクリップ部材について、図１６〜図１８を参照しながら説明する。ここで、図１６は、実施例３のクリップ部材を斜め上方から見た斜視図であり、図１７は、同クリップ部材の底面図であり、図１８は、装着テープに取り付けたクリップ部材にワイヤーを係止させた状態を模式的に示す模式図である。
【００８２】
本実施例３に係るクリップ部材３１は、リテイナー挿入部３と上部開口部４とを長さ方向に沿って有する被装着部２が上方に設けられている。また、被装着部２の下方には、同被装着部２と平行で直線状に貫通している係止空間部５と、連通部３６ａ、開口部３６ｂ、及び導入空間部３６ｃを有する導入路３６とが設けられている。更に、クリップ部材３１には、係止空間部５と導入路３６とによって二股に分割された１対の脚部３７ａ，３７ｂが形成されている。
【００８３】
本実施例３のクリップ部材３１は、前記実施例１及び実施例２のクリップ部材１、２１に比べて、長さ方向に長く構成されている。また、前記導入路３６の導入空間部３６ｃは、長さ方向の中間位置に屈曲部３２を有している。更に、導入路３６の導入空間部３６ｃは、係止空間部５の長さ方向に対して０°よりも大きく９０°よりも小さい傾斜角度で傾斜する直線状の部分と、０°よりも小さく−９０°よりも大きい傾斜角度で傾斜する直線状の部分とが屈曲部３２を介して直列的に配されてジグザグ状に形成されている。このとき、ワイヤーの取付作業性やワイヤーの係止状態の安定性等を考慮すると、傾斜角度θは５°≦θ≦４５°の範囲で設定することが好ましく、また、傾斜角度θ’は−５°≦θ≦−４５°の範囲で設定することが好ましい。
【００８４】
このような本実施例３のクリップ部材３１を、前記実施例１と同様に、装着テープ１６を介して表皮材１１の縫合部１２に間隔を開けて複数個装着し、各クリップ部材３１にクッション部材１３の凹溝１４内に配したワイヤー１５を係止することによって、本実施例３に係るクッション部材の表皮材吊込構造を構成することができる（図１８を参照）。
【００８５】
本実施例３のクリップ部材３１を用いて構成された吊込構造は、クリップ部材３１の導入路３６が上述のようにジグザグ状に形成されているため、クリップ部材３１をワイヤー１５に案内する際には、先ず、クリップ部材３１を傾斜角度θ又はθ’の一方の角度に合わせるようにワイヤー１５に対して傾けて（回動させて）、その一方の傾斜角度でねじれている導入路３６の開口部３６ｂから導入空間部３６ｃにワイヤー１５を挿入する。更に、クリップ部材３１をワイヤー１５に向けて押し込むことにより、クリップ部材３１を弾性変形させながら、導入路３６の導入空間部３６ｃに挿入されたワイヤー１５を、連通部３６ａを介して係止空間部５に導入して係止することができる。
【００８６】
次に、クリップ部材３１を他方の傾斜角度に合わせるように傾けて、その他方の傾斜角度でねじれている導入路３６の開口部３６ｂから導入空間部３６ｃにワイヤー１５を挿入する。更に、クリップ部材３１をワイヤー１５に向けて押し込むことにより、ワイヤー１５を係止空間部５に導入して係止することができる。このように２段階でクリップ部材３１をワイヤー１５に案内して押し込むことにより、ワイヤー１５をクリップ部材３１の係止空間部５に導入して確実に係止することができる。
【００８７】
このように本実施例３の吊込構造は、前記実施例１及び２に比べて、クリップ部材の取付作業性において若干劣るものの、ワイヤー１５がクリップ部材３１の係止空間部５に一旦係止されると、例えば図１７等から理解できるように、ワイヤー１５が脚部３７ｂの２箇所の厚肉の端縁部と、脚部３７ａの屈曲部３２付近の厚肉部で安定して支持される。このため、前記実施例１及び２に比べて、係止空間部５におけるワイヤー１５の係止が強固になり、ワイヤー１５の係止状態を非常に安定して維持することができる。
【００８８】
なお、本実施例３では、前述のように、クリップ部材３１の導入路３６の長さ方向に１つの屈曲部３２を有する場合について説明しているが、本発明はこれに限定されるものではなく、導入路３６の長さ方向に複数の屈曲部を設けることにより、導入路３６の導入空間部３６ｃを２箇所以上でジグザグ状に折り返すように形成することも可能である。
【００８９】
また、本実施例３の変形例として、例えば図１９に示したクリップ部材３１’がある。このクリップ部材３１’は、前記実施例３のクリップ部材３１のように脚部３７ａ，３７ｂを長さ方向全体に渡って形成するのではなく、脚部３７ａ’，３７ｂ’，３７ｂ″における幅方向の肉厚が薄い部分に、それぞれ切欠が形成されて構成されている。このように脚部３７ａ’，３７ｂ’，３７ｂ″の一部に切欠が形成されていることにより、ワイヤー１５の係止空間部５への導入が容易となり、表皮材のクッション部材への取付作業性を大きく改善することができる。
【実施例４】
【００９０】
本発明の実施例４に係るクッション部材の表皮材吊込構造について、図２０〜図２２を参照しながら説明する。ここで、図２０は、クリップ部材を装着テープに取り付ける前の状態で、クリップ部材の順序を説明する説明図である。また、図２１は、図２０に示したクリップ部材を装着テープに取り付けた後、同クリップ部材にワイヤーを係止させた状態を模式的に示す模式図である。更に、図２２は、図２１に示したクリップ部材及びワイヤーを底面側から見た底面図である。
【００９１】
この本実施例４に係る吊込構造は、図２０に示したように、表皮材の縫合部に第１クリップ部材４１ａと第２クリップ部材４１ｂの２種類のクリップ部材が交互に３つ連接して装着されることにより構成されている。これらの第１及び第２クリップ部材４１ａ，４１ｂは、係止空間部４５に対する導入路４６のねじれている向きが互いに交差する対称的な方向となるように構成されている。
【００９２】
より具体的に説明すると、一方の第１クリップ部材４１ａとしては、例えば前記実施例１のクリップ部材１と同様のクリップ部材を用いることができる。また、他方の第２クリップ部材４１ｂは、係止空間部４５に対してねじれている導入路の向きが、前記実施例１のクリップ部材１における導入路の向きと交差する方向であり、第２クリップ部材４１ｂの導入路の傾斜角度θ″は、第１クリップ部材４１ａにおける導入路の傾斜角度θに対して「θ″＝（−θ）」の関係になる。
【００９３】
このような導入路の向きが互いに交差する２種類の第１及び第２クリップ部材４１ａ，４１ｂを交互に３つ連接して装着テープ１６に取り付けることにより、連接された３つのクリップ部材４１ａ，４１ｂによって、長さ方向に連続した係止空間部４５及び導入路４６が形成される。このとき、連続した係止空間部４５は、３つのクリップ部材４１ａ，４１ｂにより形成される連続した被装着部４２と平行で、且つ直線状に貫通している。一方、連続した導入路４６は、図２２に示したように、第１クリップ部材４１ａと第２クリップ部材４１ｂとの連接部位が屈曲部となり、２つの屈曲部を介してジグザグ状に形成されている。
【００９４】
このように連続した導入路４６がジグザグ状に形成された３つのクリップ部材４１ａ，４１ｂにワイヤー１５を係止するときには、連接している３つのクリップ部材４１ａ，４１ｂを１つずつ適切な角度で傾けながらワイヤー１５に案内して押し込むことにより、当該クリップ部材を弾性変形させながら、連続した係止空間部４５にワイヤー１５を導入することができる。このとき、３つのクリップ部材４１ａ，４１ｂは連接しているものの、互いに固定されていないため、各クリップ部材を適切な角度で容易に傾けてワイヤー１５に案内することができる。
【００９５】
従って、本実施例４の吊込構造によれば、特別の道具を用いなくても３つのクリップ部材４１ａ，４１ｂの連続した係止空間部４５にワイヤー１５を係止することができる。また、ワイヤー１５を係止空間部４５に一旦係止することにより、各クリップ部材４１ａ，４１ｂの厚肉部分でワイヤー１５を安定して支持できるため、ワイヤー１５の係止が非常に安定し、且つ外れ難い。従って、ワイヤー１５の係止状態を非常に安定して維持することができる。
【００９６】
特に、本実施例４の吊込構造は、ワイヤー１５が湾曲線状に配されている場合、図２２に示したように、第１クリップ部材４１ａと第２クリップ部材４１ｂとの連接部位の外径となる側にそれぞれ隙間４３が形成されて、各クリップ部材４１ａ，４１ｂ自体の向きをワイヤー１５の湾曲に沿わせるようにすることができる。これにより、ワイヤー１５の係止状態を更に安定させることができる。
【００９７】
なお、本実施例４では、上述のように、３つのクリップ部材４１ａ，４１ｂを連接する場合について説明しているが、本発明はこれに限定されるものではなく、２種類のクリップ部材を交互に２つ、又は４つ以上連接することも可能である。
【００９８】
また、本実施例４の変形例として、前記第１及び第２クリップ部材４１ａ，４１ｂの各脚部に切欠を形成し、前記実施例２のクリップ部材２１のように、クリップ部材の長さ方向の一部のみに脚部を形成した２種類のクリップ部材を用いて吊込構造を構成することも可能である。これにより、ワイヤーの係止空間部への導入をより簡易に行うことができ、表皮材のクッション部材への取付作業性を改善することができる。
【実施例５】
【００９９】
本発明の実施例５に係るクッション部材の表皮材吊込構造について、図２３〜図２６を参照しながら説明する。ここで、図２３は、実施例５のクリップ部材を斜め上方から見た斜視図であり、図２４は、同クリップ部材を斜め下方から見た斜視図である。また、図２５は、同クリップ部材の正面図であり、図２６は、同クリップ部材の底面図である。
【０１００】
本実施例５のクリップ部材６１は、被装着部２の下方に、同被装着部２と平行で直線状に貫通している係止空間部５と、連通部６６ａ、開口部６６ｂ、及び導入空間部６６ｃを有する導入路６６とが設けられている。また、このクリップ部材６１には、係止空間部５と導入路６６とによって二股に分割された１対の脚部６７ａ，６７ｂが、係止空間部５の長さ方向の全体に渡って形成されている。
【０１０１】
クリップ部材６１の導入路６６は、図２６に示したように、底面側から見たときに係止空間部５に対する傾斜角度θが１０°となるようなねじれた位置関係に配されている。なお、本発明において、この傾斜角度θの値は、０°よりも大きく９０°よりも小さい範囲、又は、０°よりも小さく−９０°よりも大きい範囲で任意に設定することができる。
【０１０２】
また本実施例５では、導入路６６が上述のようにねじれた位置関係に配されていることにより、導入路６６を形成する脚部６７ａ，６７ｂの長さ方向の一端が幅方向にて厚肉５１となり、その一端から長さ方向に沿って脚部６７ａ，６７ｂの幅方向における厚さが漸減している。一方、脚部６７ａ，６７ｂの他端側から長さ方向の所定範囲には、導入路６６を形成している部位の肉厚が均等に薄い薄壁部分６２が形成されている。このような薄壁部分６２が形成されていることにより、脚部６７ａ，６７ｂを幅方向に弾性変形させ易くすることができるとともに、クリップ部材６１の成形に使用する合成樹脂を少なくし、クリップ部材６１の製造コストの低減を図ることができる。
【０１０３】
更に、本実施例５の脚部６７ａ，６７ｂは、その外側面に凹部６３を設けて脚部６７ａ，６７ｂの拡幅方向における肉厚を薄くすることによって、弾性変形促進構造を形成している。これにより、脚部６７ａ，６７ｂの拡幅方向への弾性変形を促すとともに、脚部６７ａ，６７ｂの幅方向の肉厚において、最も薄肉となる部分の厚さ６４を長さ方向において全体的に略等しくし、脚部６７ａ，６７ｂの弾性変形を長さ方向において略均等に生じさせることが可能となる。
【０１０４】
また、前記脚部６７ａ，６７ｂにおいて、前記薄壁部分６２を除いた部分の導入空間部６６ｃ側の面８’（内側面）は、導入路６６の連通部６６ａから開口部６６ｂに向けて脚部６７ａ，６７ｂの肉厚が薄くなるような曲面に形成されており、導入空間部６６ｃの間隔がワイヤー１５の導入方向に向けて徐々に狭くなっている。このとき、クリップ部材６１の長さ方向の両端における連通部６６ａの間隔６９は、係止空間部５の幅方向における最大の大きさ（ワイヤー１５の直径）よりも小さく形成されている。
【０１０５】
このような本実施例５のクリップ部材６１を用いて構成された吊込構造によれば、ドライバ等の道具を用いなくても、クリップ部材６１を所定角度で傾けた状態でワイヤー１５に案内して押し込むことにより、クリップ部材６１の係止空間部５にワイヤー１５を係止させて表皮材１１をクッション部材１３に簡易に取り付けることができる。
【０１０６】
また、本実施例５において、導入路６６の連通部６６ａにおける前記間隔６９はワイヤー１５の直径よりも小さく形成されているため、ワイヤー１５をクリップ部材６１の係止空間部５へ導入する際には、脚部６７ａ，６７ｂを拡幅方向に弾性変形させなければならない。このとき、本実施例５のクリップ部材６１は、前述のように、６７ａ，６７ｂに薄壁部分６２が形成されているとともに、凹部６３を設けることによって弾性変形促進構造が形成されている。
【０１０７】
これにより、脚部６７ａ，６７ｂは、拡幅方向への弾性変形を容易に且つ長さ方向の全体に渡って略均等に生じさせることができるため、クリップ部材６１をワイヤー１５に向けて押し込むときに生じる抵抗を小さくして、その取付作業時に求められるクリップ部材６１の押込力を低減することができ、ワイヤー１５をクリップ部材６１に非常に簡易に係止させることができる。従って、本実施例５では、表皮材１１のクッション部材１３への取り付けを極めて簡単に且つ円滑に行うことができ、その取付作業性を大幅に向上させることができる。
【産業上の利用可能性】
【０１０８】
本発明のクリップ部材及びクッション部材の表皮材吊込構造は、自動車などに設けられる車両用シートや家具用シートにおいて、クッション部材の表面に表皮材を被覆させて止着させるときに有効に適用される。
【図面の簡単な説明】
【０１０９】
【図１】実施例１に係るクリップ部材を斜め上方から見た斜視図である。
【図２】同クリップ部材の一方の脚部の記載を省いて、導入路及び係止空間部の内側面を解り易く示した模式図である。
【図３】同クリップ部材の正面図である。
【図４】同クリップ部材の底面図である。
【図５】クッション部材の正面図である。
【図６】クリップ部材を装着テープに取り付ける前の状態を示した模式図である。
【図７】表皮材に装着したクリップ部材をワイヤーに案内する状態を説明する説明図である。
【図８】表皮材をクッション部材に吊り込んで止着した吊込構造を、クッション部材の一部を断面で記載して示した模式図である。
【図９】ワイヤーを係止したクリップ部材を、クッション部材の凹溝の底部側から示した模式図である。
【図１０】実施例１の吊込構造の変形例として、ワイヤーの代わりに合成樹脂製レール部材を用いて構成された吊込構造を示した模式図である。
【図１１】実施例１のクリップ部材の変形例を示すものであり、（ａ）は、変形例のクリップ部材の正面図であり、（ｂ）は、同クリップ部材の底面図である。
【図１２】実施例２に係るクリップ部材を斜め上方から見た斜視図である。
【図１３】同クリップ部材を斜め下方から見た斜視図である。
【図１４】同クリップ部材の正面図である。
【図１５】同クリップ部材の底面図である。
【図１６】実施例３に係るクリップ部材を斜め上方から見た斜視図である。
【図１７】同クリップ部材の底面図である。
【図１８】装着テープに取り付けたクリップ部材にワイヤーを係止させた状態を模式的に示す模式図である。
【図１９】実施例３の変形例に係るクリップ部材の底面図である。
【図２０】実施例４に係る吊込構造において、クリップ部材を装着テープに取り付ける前の状態で、クリップ部材の順序を説明する説明図である。
【図２１】図２０に示したクリップ部材を装着テープに取り付けた後、同クリップ部材にワイヤーを係止させた状態を模式的に示す模式図である。
【図２２】図２１に示したクリップ部材及びワイヤーを底面側から見た底面図である。
【図２３】実施例５に係るクリップ部材を斜め上方から見た斜視図である。
【図２４】同クリップ部材を斜め下方から見た斜視図である。
【図２５】同クリップ部材の正面図である。
【図２６】同クリップ部材の底面図である。
【符号の説明】
【０１１０】
１                クリップ部材
２                被装着部
３                リテイナー挿入部
４                上部開口部
５                係止空間部
６                導入路
６ａ              連通部
６ｂ              開口部
６ｃ              導入空間部
７ａ，７ｂ        脚部
８，８’          導入路側の面
９                導入路の連通部における間隔
１０                導入路の開口部における間隔
１１                表皮材
１２                縫合部
１３                クッション部材
１４                凹溝
１５                ワイヤー
１６                装着テープ
１７                不織布テープ
１８                リテイナー
１９                レール部材
２１                クリップ部材
２６                導入路
２６ａ              連通部
２６ｂ              開口部
２６ｃ              導入空間部
２７ａ，２７ｂ      脚部
３１，３１’        クリップ部材
３２                屈曲部
３６                導入路
３６ａ              連通部
３６ｂ              開口部
３６ｃ              導入空間部
３７ａ，３７ｂ      脚部
４１ａ              第１クリップ部材
４１ｂ              第２クリップ部材
４２                被装着部
４３                隙間
４５                係止空間部
４６                導入路
５１                厚肉
５２                薄肉
５３                ワイヤーとの接触領域
６１                クリップ部材
６２                薄壁部分
６３                凹部
６４                厚さ
６６                導入路
６６ａ              連通部
６６ｂ              開口部
６６ｃ              導入空間部
６７ａ，６７ｂ      脚部
６９                間隔
【図１】
2007275557.tif 000003
【図２】
2007275557.tif 000004
【図３】
2007275557.tif 000005
【図４】
2007275557.tif 000006
【図５】
2007275557.tif 000007
【図６】
2007275557.tif 000008
【図７】
2007275557.tif 000009
【図８】
2007275557.tif 000010
【図９】
2007275557.tif 000011
【図１０】
2007275557.tif 000012
【図１１】
2007275557.tif 000013
【図１２】
2007275557.tif 000014
【図１３】
2007275557.tif 000015
【図１４】
2007275557.tif 000016
【図１５】
2007275557.tif 000017
【図１６】
2007275557.tif 000018
【図１７】
2007275557.tif 000019
【図１８】
2007275557.tif 000020
【図１９】
2007275557.tif 000021
【図２０】
2007275557.tif 000022
【図２１】
2007275557.tif 000023
【図２２】
2007275557.tif 000024
【図２３】
2007275557.tif 000025
【図２４】
2007275557.tif 000026
【図２５】
2007275557.tif 000027
【図２６】
2007275557.tif 000028